(57)【要約】      （修正有）【課題】載せた荷物の重量を分散可能で、且つ空間効率よく収蔵されることができるパレットを提供する。【解決手段】パレットは、パレット本体２と少なくとも１つの圧力分散板６を含む。パレット本体は、上面と下面とを有する略板状の支持台４と、支持台の下面から突出すると共に、先端にある底壁５１と、底壁と支持台下面との間に介在する周壁５２とにより支持台上面に開口する収容溝５４が画成される複数の支持脚５とを具える。また圧力分散板は、板状体６１として形成され、それぞれ複数の支持脚５に対応して支持脚の底壁５１を同時に下から覆うように、支持脚に取付けられる。【選択図】図６
0003201030.tif 000002
【実用新案登録請求の範囲】
【請求項１】
パレット本体と、前記パレット本体に取り外し可能に接合される圧力分散手段とを含むパレットであって、
前記パレット本体は、上面と下面とを有するように形成された略板状の支持台と、前記支持台の前記下面から突出するように形成された複数の支持脚とを具えており、
各前記支持脚は、突出する先端にある底壁と、前記底壁と前記支持台の前記下面との間に介在する周壁とを有し、且つ、前記底壁と前記周壁とにより前記支持台の前記上面において開口する収容溝が画成されており、
前記圧力分散手段は、少なくとも１つの圧力分散板を有し、各前記圧力分散板は、板状体として形成されていると共に、それぞれ複数の前記支持脚に対応して該複数の前記支持脚の前記底壁を同時に下から覆うように、該複数の前記支持脚に取付けられることができることを特徴とするパレット。
【請求項２】
前記パレット本体が具えた各前記支持脚が有する前記底壁には、前記収容溝と連通する挿入孔と、該挿入孔の周縁から更に切り込まれて開口幅が前記挿入孔の開口幅より小さくなっている係合孔とが形成されており、
前記圧力分散手段が有する前記圧力分散板は、各前記底壁と係合することができる係合部を備えており、前記係合部は、前記板状体の各前記底壁を覆う箇所から突起すると共に、前記係合孔に嵌め込まれることができるように形成されている係合突起と、前記係合突起が突起した先端から張り出しながら、張り出した周縁の形状が前記挿入孔を通過することができる一方、前記係合孔を通過することができないように形成されている係合フランジとを有することを特徴とする請求項１記載のパレット。
【請求項３】
前記パレット本体が具えた各前記支持脚がそれぞれ有する前記周壁は、前記底壁側から前記支持台まで延伸すると共に、横断面の面積が徐々に拡大するように形成されていることを特徴とする請求項２記載のパレット。
【請求項４】
前記圧力分散手段が有する各前記圧力分散板は、それぞれの各前記底壁を覆う箇所の周縁において、各前記係合部の前記係合突起が対応の各前記支持脚に形成された前記係合孔に嵌め込まれた際に、各前記支持脚の前記周壁に外側からそれぞれ当接できるように前記圧力分散板の前記板状体から突起しているサポート突起を更に備えていることを特徴とする請求項３記載のパレット。
【請求項５】
前記パレット本体が具えた複数の前記支持脚は、第１の所定方向と平行する複数の列を成すように並んでいると共に、同一の列にある複数の前記支持脚の前記底壁に形成される前記係合孔は、前記第１の所定方向と平行し且つ同一側に向けて対応の前記挿入孔の周縁から更に切り込まれるように形成されており、
前記圧力分散手段は、各前記列に沿って対応の前記支持脚に取付けることができる前記列と同数の前記圧力分散板を有し、
各前記圧力分散板に形成される各前記係合部の前記係合フランジは、該当の前記圧力分散板が対応の前記支持脚に取付けられた際に前記第１の所定方向と略直交する第２の所定方向に沿って張り出すように形成されており、
更に、各前記圧力分散板には、少なくとも１つの前記係合部の前記係合突起に隣接する係合タブが形成されており、
各前記圧力分散板に形成される前記係合タブは、それぞれ前記板状体に繋がっている接続端と、前記接続端より対応の前記係合突起に接近する位置において前記板状体に対して揺動可能な自由端と、前記接続端と前記自由端との間に介在し、可撓性を有する延伸部と、前記自由端において前記係合突起と同じ側へ突起し、且つ前記延伸部の表面に対して略直交すると共に前記接続端側に面している係合面及び前記延伸部の表面に対して所定の鋭角を成しながら前記自由端側に面している案内面が形成されている係合ブロックと、を有すると共に、前記係合タブは、該当の前記圧力分散板が対応の前記支持脚に取付けられた際、隣接する前記係合突起の対応する前記係合孔が対応の前記挿入孔の周縁に切り込まれる方向に沿って、前記接続端から前記自由端へ延伸するように配置形成されており、
この構成により、
前記圧力分散板が対応の前記支持脚に取付けられる際、
まずは該当の前記圧力分散板に形成された各前記係合突起及び前記係合フランジが対応の支持脚に形成された前記挿入孔を経由して該対応の支持脚にある前記収容溝内に挿入され、この際、前記係合突起に隣接する前記係合タブは、該当の前記係合突起が対応する前記支持脚の前記挿入孔外に位置しており、
続いて、該当の前記圧力分散板に形成された各前記係合突起が対応の支持脚に形成された前記挿入孔から該挿入孔の周縁に切り込まれた前記係合孔に嵌め込まれると、該係合突起に形成された前記係合フランジが該係合孔の周縁に係合することにより、該係合突起が前記挿入孔を経由せずに対応の前記係合孔から直接に脱離することを阻止することができ、この際、各前記係合突起の対応の前記係合孔に嵌め込まれる動きに従って、前記係合突起に隣接する前記係合タブは、前記係合ブロックの前記案内面が該当の前記係合突起が対応する前記支持脚の前記周壁の先端に当接しながら、該案内面の案内により該当の前記係合タブの前記延伸部が湾曲して該係合ブロックが該当の前記支持脚に形成された前記挿入孔の周縁を乗り越えて該挿入孔に進入してから、該係合ブロックの前記係合面で前記挿入孔の周縁に当接することによって、該係合突起の前記係合孔から前記挿入孔へ移動する動きを阻止することができるように構成されていることを特徴とする請求項４記載のパレット。
【請求項６】
前記係合ブロックの前記係合面と前記挿入孔の周縁との当接を強制的に解除することができるように、各前記圧力分散板に形成される前記係合タブには、前記自由端の先端から切り込まれてマイナスドライバーの先端により挿し込まれることができる操作孔が形成されていることを特徴とする請求項５記載のパレット。
【請求項７】
各前記支持脚の前記底壁にある前記挿入孔と、各前記圧力分散板の前記係合部にある前記係合フランジの前記パレット本体の前記下面と平行する断面とは、略同様な形状と大きさに形成されていることを特徴とする請求項２〜８記載のパレット。
【請求項８】
各前記圧力分散板の各前記サポート突起は、各前記支持脚の前記周壁の輪郭に合わせて形成されていることを特徴とする請求項４〜６記載のパレット。
【考案の詳細な説明】
【技術分野】
【０００１】
本考案はパレットに関し、特に、載せた荷物の重量を分散可能、且つ空間効率よく収納されることができるパレットに関する。
【背景技術】
【０００２】
従来のパレットは、例えば荷物を載せることができる上面と、該上面の反対側にある下面とを有するように形成された板状の支持台と、前記支持台の前記下面から突出するように形成された複数の支持脚とを備えている。各前記支持脚は、互いに離間して直交する行と列に並ぶように配置され、そして前記支持台と共に複数の谷間を形成している。各前記谷間には、例えばハンドリフトの爪部を挿し込むことで、前記パレットを該爪部に固定して搬送することができる。
【０００３】
しかし、このような従来のパレットでは、保護手段が施されていない限り、大量格納するために荷物を載せたパレットが他のパレットが支持する荷物の上に積み上げられている場合、上方にあるパレットにある各支持脚は、上方の荷物が持つ重量をそれぞれの先端に集中して下方のパレットが支持する荷物に与えることとなり、その下方のパレットが支持する荷物を傷付けてしまう恐れがある。また、パレットを使用せずに収納する場合では、各パレットがそれぞれ有する谷間は空いたままであり、収納空間を余分に占めることにもなる。
【考案の概要】
【考案が解決しようとする課題】
【０００４】
上記問題点に鑑みて、本考案は載せた荷物の重量を分散可能であり、且つ空間効率よく収納されることができるパレットの提供を目的とする。
【課題を解決するための手段】
【０００５】
上記目的を達成すべく、本考案は、パレット本体と、前記パレット本体に取り外し可能に接合される圧力分散手段とを含むパレットであって、前記パレット本体は、上面と下面とを有するように形成された略板状の支持台と、前記支持台の前記下面から突出するように形成された複数の支持脚とを具えており、各前記支持脚は、突出する先端にある底壁と、前記底壁と前記支持台の前記下面との間に介在する周壁とを有し、且つ、前記底壁と前記周壁とにより前記支持台の前記上面において開口する収容溝が画成されており、  前記圧力分散手段は、少なくとも１つの圧力分散板を有し、各圧力分散板は、板状体に形成されていると共に、それぞれ複数の前記支持脚に対応して該複数の前記支持脚の前記底壁を同時に下から覆うように、該複数の前記支持脚に取付けられることができることを特徴とするパレットを提供する。
【考案の効果】
【０００６】
上記構成によれば、本考案のパレットは、前記圧力分散手段が、少なくとも１つの圧力分散板を有し、各圧力分散板は、板状体に形成されていると共に、それぞれ複数の前記支持脚に対応して該複数の前記支持脚の前記底壁を同時に下から覆うように、該複数の前記支持脚に取付けられることができるので、載せた荷物の重量は、複数の支持脚を同時に覆えるほど面積が広い前記圧力分散板によってより分散され、互いに堆積する際では下方荷物の毀損を抑えることができる。
【０００７】
更に本考案のパレットは、各前記支持脚が、突出する先端にある底壁と、前記底壁と前記支持台の前記下面との間に介在する周壁とを有し、且つ、前記底壁と前記周壁とにより前記支持台の前記上面において開口する収容溝が画成されるので、各パレットは、互いの各支持脚を各収容溝にそれぞれ入れて空間効率よく収蔵されることができる。
【図面の簡単な説明】
【０００８】
【図１】本考案のパレットの好ましい実施形態が示される斜視図である。
【図２】本考案の好ましい実施形態におけるパレット本体にある支持脚の内部構造が示される一部斜視図である。
【図３】本考案の好ましい実施形態におけるパレット本体にある支持脚の外部構造が示される一部斜視図である。
【図４】本考案の好ましい実施形態における圧力分散手段が有する圧力分散板の構造が示される一部斜視図である。
【図５】本考案の好ましい実施形態における圧力分散手段をパレット本体に取り付ける手順が示される一部断面図である。
【図６】本考案の好ましい実施形態における圧力分散手段がパレット本体に完全に取り付けられた状態が示される一部断面図である。
【図７】本考案の好ましい実施形態における圧力分散手段をマイナスドライバーでパレット本体から取り外す方法が示される一部斜視図である。
【図８】本考案の好ましい実施形態における圧力分散手段をマイナスドライバーでパレット本体から取り外す方法が示される一部断面図である。
【考案を実施するための形態】
【０００９】
以下では主に図１〜図４を参照しながら、本考案のパレットの好ましい実施形態について詳しく説明する。図示されているように、本考案のパレットは、パレット本体２と、パレット本体２に取り外し可能に接合される圧力分散手段６０とを含む。パレット本体２は、上面と下面とを有するように形成された略板状の支持台４と、支持台４の前記下面から突出するように形成された複数の支持脚５とを具えている。そして各支持脚５は、ハンドリフトの爪部（図示せず）に挿入されることができる複数の谷間３が画成されるよう、互いに離間して形成されている。
【００１０】
この実施形態において、パレット本体２が具えた複数の支持脚５は、第１の所定方向（Ｘ）と平行する４列を成すように各列３つずつ並べられていると共に、第１の所定方向（Ｘ）と直交する第２の所定方向（Ｙ）と平行する３行を成すように各行４つずつ並べられ、総数は１２個である。
【００１１】
また、図２に示されたように各支持脚５は、突出する先端にある底壁５１と、底壁５１と支持台４の前記下面との間に介在する周壁５２とを有し、且つ、底壁５１と周壁５２とにより支持台４の前記上面において開口する収容溝５４が画成されている。そして各支持脚５がそれぞれ有する周壁５２は、底壁５１側から支持台４まで延伸すると共に、横断面の面積が徐々に拡大する截頭錐体状で中空に形成されている。なお、支持脚５の数量及び配列は当実施形態に限らず、実施状況次第で変更することができる。
【００１２】
また、図３に示されたように、各支持脚５が有する底壁５１には、収容溝５４と連通する挿入孔５１１と、挿入孔５１１の周縁から更に切り込まれて開口幅が挿入孔５１１の開口幅より小さくなっている係合孔５３１とが形成されている。そして同一の列にある３つの支持脚５それぞれの底壁５１に形成される係合孔５３１は、すべて第１の所定方向（Ｘ）と平行し且つ同一側の係合方向（矢印Ｉ・図５参照）に向けて対応の挿入孔５１１の周縁から更に切り込まれるように形成されている。なお、各支持脚５には、係合孔５３１の開口周縁に接すると共に、底壁５１から支持台４側へ突起する係合壁５３が形成されている。
【００１３】
図１に示されたように、この実施形態において、圧力分散手段６０は、４つの圧力分散板６を有しており、各圧力分散板６は、板状体６１として形成されていると共に、各列に沿ってそれぞれ３つの支持脚５に対応し、該３つの支持脚５の底壁５１を同時に下から覆うように、該３つの支持脚５に取付けられることができる。なお、圧力分散板６の数量は本実施形態に限らず、少なくとも１つの圧力分散板６が、それぞれ複数の支持脚５に対応して複数の支持脚５の底壁５１を同時に下から覆うように、複数の支持脚５に取付けられることができればよい。
【００１４】
また、図４に示されたように、各圧力分散板６は、各支持脚５の底壁５１と係合することができる係合部６２を備えている。各係合部６２は、板状体６１にある各支持脚５の底壁５１を覆う箇所から突起すると共に、係合孔５３１に嵌め込むことができるように形成されている係合突起６２１と、係合突起６２１が突起した先端から張り出しながら、張り出した周縁の形状が挿入孔５１１を通過することができる一方、係合孔５３１を通過することができないように形成されている係合フランジ６２２とを有する。各係合フランジ６２２は、該当の圧力分散板６が対応の支持脚５に取付けられた際、係合方向（矢印Ｉ・図５参照）及び第２の所定方向（Ｙ・図１参照）に沿って張り出すように形成されている。なお、各支持脚５の底壁５１にある挿入孔５１１と、各圧力分散板６の係合部６２にある係合フランジ６２２の第１の所定方向（Ｘ）における断面とは、略同様な形状と大きさに形成されている。このような構成によって係合フランジ６２２は、断面形状が挿入孔５１１と略一致するため、一度挿入孔５１１に嵌め込まれると、互いの位相が完全に重なるまで挿入孔５１１から脱離できず、これにより係合孔５３１との係合が緩まっても容易に挿入孔５１１から抜けない。
【００１５】
各圧力分散板６は、それぞれの各底壁５１を覆う箇所の周縁で、各係合部６２の係合突起６２１が対応の各支持脚５に形成された係合孔５３１に嵌め込まれた際に、各支持脚５の周壁５２に外側からそれぞれ当接できるように板状体６１から突起しているサポート突起６３を更に備えている。なお、各サポート突起６３は、各支持脚５の周壁５２の輪郭に合わせて形成されているので、係合部６２が支持脚５と係合する際に該支持脚５の周壁５２を囲んで係合を更に安定させることができる。
【００１６】
更に、各圧力分散板６には、中央の係合突起６２１に隣接するように形成された係合タブ６４が少なくとも１つ形成されている。各係合タブ６４は、それぞれ板状体６１に繋がっている接続端６４１と、接続端６４１より対応の係合突起６２１に接近する位置において板状体６１に対して揺動可能な自由端６４２と、接続端６４１と自由端６４２との間に介在し、可撓性を有する延伸部６４０と、自由端６４２において係合突起６２１と同じ側へ突起し、且つ延伸部６４０の表面に対して直交すると共に接続端６４１側に面している係合面６４４及び延伸部６４０の表面に対して所定の鋭角を成しながら自由端６４２側に面している案内面６４５が形成されている係合ブロック６４３とを有する。係合タブ６４は、圧力分散板６が対応の支持脚５に取付けられた際、隣接する係合突起６２１の対応する係合孔５３１が対応の挿入孔５１１に切り込まれる係合方向（Ｉ）に沿って、接続端６４１から自由端６４２へ延伸するように配置形成されている。なお、各圧力分散板６における係合タブ６４の配置数量及び位置は本実施形態に限らず、少なくとも１つの係合突起６２１に隣接するように形成された係合タブ６４が形成さればよい。
【００１７】
また、図４と図７に示されたように、各圧力分散板６に形成される係合タブ６４には、自由端６４２の先端から切り込まれた操作孔６５が形成されている。操作孔６５に、マイナスドライバー９の先端を挿し込むことで、係合ブロック６４３の係合面６４４と挿入孔５１１の周縁との当接を強制的に解除できる。
【００１８】
次に、図５〜図８を参照して本考案のパレットの好ましい実施形態を使用する方法について詳しく説明する。図５に示されるように、各圧力分散板６を対応の各支持脚５に取付ける際、まずは各圧力分散板６に形成された各係合部６２の係合突起６２１及び係合フランジ６２２を、対応の支持脚５に形成された挿入孔５１１を経由して対応の支持脚５にある収容溝５４内に挿入する。この際、各圧力分散板６の中央にある係合突起６２１に隣接する係合タブ６４は、該係合突起６２１が対応する支持脚５の挿入孔５１１の外に位置する。続いて、各係合部６２の係合突起６２１を対応の挿入孔５１１から該挿入孔５１１に切り込まれた係合孔５３１に嵌め込むと、係合方向（Ｉ）に沿って係合突起６２１に形成される係合フランジ６２２を係合孔５３１の周縁に係合するので、係合突起６２１が挿入孔５１１を経由せずに対応の係合孔５３１から直接に脱離することを阻止することができる。この際、各係合突起６２１の対応の係合孔５３１に嵌め込まれる動きに従って、係合突起６２１に隣接する係合タブ６４は、係合ブロック６４３の案内面６４５が係合突起６２１が対応する支持脚５の周壁５２の先端に当接しながら、案内面６４５の案内により係合タブ６４が有する延伸部６４０が湾曲して係合ブロック６４３が支持脚５にある挿入孔５１１の周縁を乗り越えて挿入孔５１１に進入してから、係合ブロック６４３の係合面６４４で挿入孔５１１の周縁に当接することによって、係合突起６２１が係合孔５３１から挿入孔５１１へ移動する動きを阻止する。これにより図６に示されるように、各圧力分散板６をパレット本体２に固定することができる。
【００１９】
圧力分散手段６０の各圧力分散板６をパレット本体２に固定後、荷物をパレット本体２の支持台４に載せて保持し、そしてハンドリフトの爪部をパレット本体２の谷間３に入れて搬送し、他のパレットが載せた荷物の上方に堆積する際、上方の荷物が持つ重量は各圧力分散板６の面積によって分散され、下方の荷物に掛かる負担が緩和されて荷物への損害を抑えることができる。
【００２０】
また、図７に示されたように、圧力分散手段６０をパレット本体２から取り外す際には、マイナスドライバー９の先端を、各圧力分散板６にそれぞれある操作孔６５に挿し込んで係合タブ６４の係合ブロック６４３に押し当て、続いて図８に示されたようにマイナスドライバー９の先端を倒して係合ブロック６４３を支持脚５の挿入孔５１１から押し出し、そして圧力分散板６を係合方向（Ｉ）に反する解除方向（ＩＩ）へ動かせば、パレット本体２と圧力分散板６との係合を解除することができる。
【００２１】
パレット本体２との係合が解除された各圧力分散板６は板状であるため、効率的に収納することができる。そして係合が解除された複数のパレット本体２は、支持脚５にある収容溝５４の錐体形状によって、互いの支持脚５を収容溝５４内に挿し込んだ上で積み上げることにより、谷間３の存在により収納空間を浪費することなく収納することができる。
【００２２】
以上を総括すると、本考案のパレットは、パレット本体２の各支持脚５にある底壁５１に取り外し可能に係合されると共に、底壁５１より広い面積を持つ各圧力分散板６を備えているので、格納するために荷物を載せて互いに堆積する際では、各圧力分散板６によって上方荷物の重量がより分散され、下方荷物の毀損を防ぐことができる。更に本考案のパレットは、取り外し可能な各圧力分散板６を備え、且つ各支持脚５に収容溝５４が画成されることで、不用の際には、各圧力分散板６を各パレット本体２から取り外し、そして各パレット本体２の支持脚５を互いの収容溝５４に収容して堆積することで、各支持脚５の間の谷間３に空間を浪費されずに効率よく収納することができる。
【００２３】
以上、本考案の好ましい実施形態を説明したが、本考案はこれに限定されるものではなく、その要旨を逸脱しない範囲で種々変更可能である。
【産業上の利用可能性】
【００２４】
上記構成によれば、本考案のパレットは、圧力分散手段６０が、少なくとも１つの圧力分散板６を有し、各圧力分散板６が、板状体６１として形成されていると共に、それぞれ複数の支持脚５に対応して該複数の支持脚５の底壁５１を同時に下から覆うように、該複数の支持脚５に取付けられることで、格納するために荷物を載せて互いに堆積する際では、各圧力分散板６によって上方荷物の重量を分散させて下方荷物の毀損を防ぐことができ、特に商品となる荷物の毀損による損失を減少することができる。
【００２５】
更に本考案のパレットは、各支持脚５が、突出する先端にある底壁５１と、底壁５１と支持台４の下面との間に介在する周壁５２とを有し、且つ、底壁５１と周壁５２とにより支持台４の上面において開口する収容溝５４が画成されているので、複数のパレット本体２にある支持脚５を互いの収容溝５４に収容して堆積することで、各支持脚５の間の谷間３に空間を浪費されずに効率よく収納されることができ、特に倉庫の空間を節約することができる。
【符号の説明】
【００２６】
２      パレット本体
３      谷間
４      支持台
５      支持脚
５１    底壁
５１１  挿入孔
５２    周壁
５３    係合壁
５３１  係合孔
５４    収容溝
６０    圧力分散手段
６      圧力分散板
６１    板状体
６２    係合部
６２１  係合突起
６２２  係合フランジ
６３    サポート突起
６４    係合タブ
６４０  延伸部
６４１  接続端
６４２  自由端
６４３  係合ブロック
６４４  係合面
６４５  案内面
６５    操作孔
Ｉ      係合方向
ＩＩ    解除方向
Ｘ      第１の所定方向
Ｙ      第２の所定方向
【図１】
0003201030.tif 000003
【図２】
0003201030.tif 000004
【図３】
0003201030.tif 000005
【図４】
0003201030.tif 000006
【図５】
0003201030.tif 000007
【図６】
0003201030.tif 000008
【図７】
0003201030.tif 000009
【図８】
0003201030.tif 000010
【手続補正書】
【提出日】平成27年9月3日(2015.9.3)
【手続補正１】
【補正対象書類名】実用新案登録請求の範囲
【補正対象項目名】全文
【補正方法】変更
【補正の内容】
【実用新案登録請求の範囲】
【請求項１】
パレット本体と、前記パレット本体に取り外し可能に接合される圧力分散手段とを含むパレットであって、
前記パレット本体は、上面と下面とを有するように形成された略板状の支持台と、前記支持台の前記下面から突出するように形成された複数の支持脚とを具えており、
各前記支持脚は、突出する先端にある底壁と、前記底壁と前記支持台の前記下面との間に介在する周壁とを有し、且つ、前記底壁と前記周壁とにより前記支持台の前記上面において開口する収容溝が画成されており、
前記圧力分散手段は、少なくとも１つの圧力分散板を有し、各前記圧力分散板は、板状体として形成されていると共に、それぞれ複数の前記支持脚に対応して該複数の前記支持脚の前記底壁を同時に下から覆うように、該複数の前記支持脚に取付けられることができることを特徴とするパレット。
【請求項２】
前記パレット本体が具えた各前記支持脚が有する前記底壁には、前記収容溝と連通する挿入孔と、該挿入孔の周縁から更に切り込まれて開口幅が前記挿入孔の開口幅より小さくなっている係合孔とが形成されており、
前記圧力分散手段が有する前記圧力分散板は、各前記底壁と係合することができる係合部を備えており、前記係合部は、前記板状体の各前記底壁を覆う箇所から突起すると共に、前記係合孔に嵌め込まれることができるように形成されている係合突起と、前記係合突起が突起した先端から張り出しながら、張り出した周縁の形状が前記挿入孔を通過することができる一方、前記係合孔を通過することができないように形成されている係合フランジとを有することを特徴とする請求項１記載のパレット。
【請求項３】
前記パレット本体が具えた各前記支持脚がそれぞれ有する前記周壁は、前記底壁側から前記支持台まで延伸すると共に、横断面の面積が徐々に拡大するように形成されていることを特徴とする請求項２記載のパレット。
【請求項４】
前記圧力分散手段が有する各前記圧力分散板は、それぞれの各前記底壁を覆う箇所の周縁において、各前記係合部の前記係合突起が対応の各前記支持脚に形成された前記係合孔に嵌め込まれた際に、各前記支持脚の前記周壁に外側からそれぞれ当接できるように前記圧力分散板の前記板状体から突起しているサポート突起を更に備えていることを特徴とする請求項３記載のパレット。
【請求項５】
前記パレット本体が具えた複数の前記支持脚は、第１の所定方向と平行する複数の列を成すように並んでいると共に、同一の列にある複数の前記支持脚の前記底壁に形成される前記係合孔は、前記第１の所定方向と平行し且つ同一側に向けて対応の前記挿入孔の周縁から更に切り込まれるように形成されており、
前記圧力分散手段は、各前記列に沿って対応の前記支持脚に取付けることができる前記列と同数の前記圧力分散板を有し、
各前記圧力分散板に形成される各前記係合部の前記係合フランジは、該当の前記圧力分散板が対応の前記支持脚に取付けられた際に前記第１の所定方向と略直交する第２の所定方向に沿って張り出すように形成されており、
更に、各前記圧力分散板には、少なくとも１つの前記係合部の前記係合突起に隣接する係合タブが形成されており、
各前記圧力分散板に形成される前記係合タブは、それぞれ前記板状体に繋がっている接続端と、前記接続端より対応の前記係合突起に接近する位置において前記板状体に対して揺動可能な自由端と、前記接続端と前記自由端との間に介在し、可撓性を有する延伸部と、前記自由端において前記係合突起と同じ側へ突起し、且つ前記延伸部の表面に対して略直交すると共に前記接続端側に面している係合面及び前記延伸部の表面に対して所定の鋭角を成しながら前記自由端側に面している案内面が形成されている係合ブロックと、を有すると共に、前記係合タブは、該当の前記圧力分散板が対応の前記支持脚に取付けられた際、隣接する前記係合突起の対応する前記係合孔が対応の前記挿入孔の周縁に切り込まれる方向に沿って、前記接続端から前記自由端へ延伸するように配置形成されており、
この構成により、
前記圧力分散板が対応の前記支持脚に取付けられる際、
まずは該当の前記圧力分散板に形成された各前記係合突起及び前記係合フランジが対応の支持脚に形成された前記挿入孔を経由して該対応の支持脚にある前記収容溝内に挿入され、この際、前記係合突起に隣接する前記係合タブは、該当の前記係合突起が対応する前記支持脚の前記挿入孔外に位置しており、
続いて、該当の前記圧力分散板に形成された各前記係合突起が対応の支持脚に形成された前記挿入孔から該挿入孔の周縁に切り込まれた前記係合孔に嵌め込まれると、該係合突起に形成された前記係合フランジが該係合孔の周縁に係合することにより、該係合突起が前記挿入孔を経由せずに対応の前記係合孔から直接に脱離することを阻止することができ、この際、各前記係合突起の対応の前記係合孔に嵌め込まれる動きに従って、前記係合突起に隣接する前記係合タブは、前記係合ブロックの前記案内面が該当の前記係合突起が対応する前記支持脚の前記周壁の先端に当接しながら、該案内面の案内により該当の前記係合タブの前記延伸部が湾曲して該係合ブロックが該当の前記支持脚に形成された前記挿入孔の周縁を乗り越えて該挿入孔に進入してから、該係合ブロックの前記係合面で前記挿入孔の周縁に当接することによって、該係合突起の前記係合孔から前記挿入孔へ移動する動きを阻止することができるように構成されていることを特徴とする請求項４記載のパレット。
【請求項６】
前記係合ブロックの前記係合面と前記挿入孔の周縁との当接を強制的に解除することができるように、各前記圧力分散板に形成される前記係合タブには、前記自由端の先端から切り込まれてマイナスドライバーの先端により挿し込まれることができる操作孔が形成されていることを特徴とする請求項５記載のパレット。
【請求項７】
各前記支持脚の前記底壁にある前記挿入孔と、各前記圧力分散板の前記係合部にある前記係合フランジの前記パレット本体の前記下面と平行する断面とは、略同様な形状と大きさに形成されていることを特徴とする請求項２〜６のいずれか一項に記載のパレット。
【請求項８】
各前記圧力分散板の各前記サポート突起は、各前記支持脚の前記周壁の輪郭に合わせて形成されていることを特徴とする請求項４〜６のいずれか一項に記載のパレット。